(57)【要約】【課題】単一又は多重周波数網を有する放送網内で有料加入者及び無料加入者に対して主放送網受信可能範囲内では有料加入者及び無料加入者ともサービス受信が可能であり、中継網受信可能範囲内では有料加入者のみサービス受信を可能にする。【解決手段】本発明は受信制限のための送信システム及びその方法、並びに受信端末及びその方法に関する。この送信システムはデジタル放送サービス時に放送を送信する送信網識別符号（ＮＩＣ）を含み、暗号化された放送信号を送出する。中継システムは送信システムから送信される放送信号を中継して加入者端末に再送信する。この時、中継システムの送信網識別符号は主放送網の送信網識別符号と異なる。受信端末は中継網の領域で送信網識別符号と復号化キーを使用して暗号化された放送信号を復号化する。本発明によれば、有料加入者のみが中継網内で放送信号を受信したりＴＰＥＧメッセージを受信することができる。【選択図】図１
2009507399.tif 000002
【特許請求の範囲】
【請求項１】
デジタル放送送信システムにおいて、
主放送網を介したデータパケット及び送信網識別符号（ＮＩＣ）を放送信号を付加し、特定暗号キーを使用して暗号化した後送信する主放送システムと、
前記主放送システムから送出される暗号化された放送信号を中継網を介して中継する中継システムと、
前記主放送システム又は前記中継システムから復号化キー受信して有料加入者局に送信する移動通信システムとを含み、
前記有料加入者局は、前記暗号化された放送信号から抽出された送信網識別符号と前記復号化キーを使用して前記暗号化された放送信号を復号することを特徴とするデジタル放送送出システム。
【請求項２】
前記デジタル放送はＤＶＢ-Ｔ（Ｄｉｇｉｔａｌ  Ｖｉｄｅｏ  Ｂｒｏａｄｃａｓｔｉｎｇ−Ｔｅｒｒｅｓｔｒｉａｌ）方式に基づいでおり、
前記送信網識別符号は前記ＤＶＢ-Ｔ方式によって送信データのパラメータを送信するのに使用される送信パラメータ信号（ＴＰＳ）キャリア内に含まれることを特徴とする請求項１に記載のシステム。
【請求項３】
前記主放送システム及び前記中継システムは、前記送信された放送信号が前記主放送網又は前記中継網のうちのどの網の信号であるかを前記加入者端末で区分できる送信網識別符号（ＮＩＣ）をそれぞれ送出することを特徴とする請求項１又は２に記載のデジタル放送送出システム。
【請求項４】
前記中継システムは、前記主放送システムのデータパケットを中継する場合に、前記中継システムの送信網識別符号（ＮＩＣ）値を前記主放送システムの送信網識別符号（ＮＩＣ）値と異ならせて再割当して送信することを特徴とする請求項１又は２に記載のシステム。
【請求項５】
前記送信網識別符号（ＮＩＣ）は、前記ＴＰＳキャリア内にあるセルＩＤと冗長ビットのうちのいずれか１つに含まれることを特徴とする請求項２に記載のシステム。
【請求項６】
ＤＶＢ-Ｔ（Ｄｉｇｉｔａｌ  Ｖｉｄｅｏ  Ｂｒｏａｄｃａｓｔｉｎｇ−Ｔｅｒｒｅｓｔｒｉａｌ）デジタル放送送信システムにおいて、
放送型コンテンツに関する付加情報を多重化して放送信号として出力する多重化器と、
前記多重化器で多重化されて出力される放送信号を特定暗号キーを使用して暗号化する暗号化器と、
前記ＤＶＢ-Ｔ方式によって伝送データのパラメータを送信するのに使用されるＴＰＳキャリア内に含まれる、送信網に固有の送信網識別符号（ＮＩＣ）を発生する送信網識別符号発生器と、
前記送信網識別符号発生器で発生した送信網識別符号を使用して前記暗号化器で使用される暗号化キーを発生する暗号化キー発生器と、
前記ＴＰＳキャリア内に前記送信網識別符号発生器で発生した送信網識別符号を挿入し、送信用ＴＰＳキャリアを生成するＴＰＳ生成器と、
前記暗号化器から出力される暗号化された放送信号及び前記ＴＰＳ生成器で生成されるＴＰＳキャリアを前記ＤＶＢ-Ｔ方式によって変調して加入者局に送信するＤＶＢ-Ｔ変調器を含むことを特徴とするデジタル放送送信システム。
【請求項７】
前記送信された放送信号は、前記加入者局が主放送網又は中継網のうちのどの網で送出された信号であるかを識別できるようにする送信網識別符号（ＮＩＣ）であることを特徴とする請求項６に記載のシステム。
【請求項８】
前記送信網識別符号発生器は、送信網識別情報（ＮＩＣ）を周期的に変更し、前記暗号化キー発生器、前記ＴＰＳ生成器、及び前記ＤＶＢ-Ｔ変調器は前記変更された送信網識別情報（ＮＩＣ）を適用して暗号化又は各信号を生成することを特徴とする、請求項７に記載のシステム。
【請求項９】
前記暗号化キー発生器は、前記周期的に変更される送信網識別符号によって変更される暗号化キーを復号化キー値として規定して送信することを特徴とする請求項８に記載のシステム。
【請求項１０】
前記送信網識別符号（ＮＩＣ）は、前記ＴＰＳキャリア内にあるセルＩＤと冗長ビットのうちのいずれか１つに含まれることを特徴とする請求項６に記載のシステム。
【請求項１１】
前記セルＩＤ又は冗長ビットの領域が送信網別に区分されて送信網識別符号をそれぞれ含むことを特徴とする請求項１０に記載のシステム。
【請求項１２】
前記放送型コンテンツはオーディオ、ビデオ、及びデータから成ることを特徴とする請求項６に記載のシステム。
【請求項１３】
前記放送型コンテンツはデータを含むことを特徴とする請求項６に記載のシステム。
【請求項１４】
デジタル放送送信方法において、
ａ）放送型コンテンツに関する付加情報を多重化して放送信号を生成する段階と、
ｂ）前記生成された放送信号を特定暗号キーを使用して暗号化し、暗号化された放送信号を生成する段階と、
ｃ）主放送網と中継網を含み、前記暗号化された放送信号を送出した送信網を識別するための送信網識別符号（ＮＩＣ）を前記暗号化された放送信号に挿入する段階と、
ｄ）前記暗号化された放送信号を送出する段階とを含み、
前記特定暗号キーは、前記送信網識別符号によって暗号化されて復号化キーとして送信され、前記復号化キーは前記送信網識別符号と共に前記ｄ）段階で送信される暗号化された放送信号を復号するのに使用されることを特徴とするデジタル放送送信方法。
【請求項１５】
前記デジタル放送はＤＶＢ-Ｔ（Ｄｉｇｉｔａｌ  Ｖｉｄｅｏ  Ｂｒｏａｄｃａｓｔｉｎｇ−Ｔｅｒｒｅｓｔｒｉａｌ）方式に基づいでおり、
前記送信網識別符号は、前記ＤＶＢ-Ｔ方式によって送信データのパラメータを送信するのに使用される送信パラメータ信号（ＴＰＳ）キャリア内に含まれることを特徴とする請求項１４に記載の方法。
【請求項１６】
所定周期ごとに前記送信網識別符号（ＮＩＣ）を変更し、前記変更された送信網識別符号を適用して前記放送信号を暗号化することを特徴とする請求項１４又は１５に記載の方法。
【請求項１７】
前記送信網識別符号を使用して前記特定暗号キーを暗号化し、前記暗号化されたキーを復号化キーとして移動通信網を介して有料加入者局に送信することを特徴とする請求項１４又は１５に記載の方法。
【請求項１８】
前記ｄ）段階の後に、
ｅ）前記送信された放送信号を受信して前記加入者局に中継するように前記中継網を制御する段階をさらに含むことを特徴とする請求項１４又は１５に記載の方法。
【請求項１９】
前記ｅ）段階で、
前記中継網を中継するときに、前記中継網は、前記受信された放送信号の送信網識別符号（ＮＩＣ）を変更し、前記中継網に対応する送信網識別符号（ＮＩＣ）に再割当して送信することを特徴とする請求項１８に記載の方法。
【請求項２０】
前記放送型コンテンツはオーディオ、ビデオ、及びデータから成ることを特徴とする請求項１４に記載の方法。
【請求項２１】
前記放送型コンテンツはデータを含むことを特徴とする請求項１４に記載の方法。
【請求項２２】
ＤＶＢ-Ｔ（Ｄｉｇｉｔａｌ  Ｖｉｄｅｏ  Ｂｒｏａｄｃａｓｔｉｎｇ−Ｔｅｒｒｅｓｔｒｉａｌ）デジタル放送受信端末において、
アンテナを介して受信される信号を前記ＤＶＢ-Ｔ方式によって復調して暗号化された放送信号と伝送データのパラメータを送信するのに使用されると共に送信網識別符号（ＮＩＣ）を含む送信パラメータ信号（ＴＰＳ）キャリアを出力するＤＶＢ-Ｔ復調器と、
前記ＤＶＢ-Ｔ復調器から出力されるＴＰＳキャリアから送信網識別符号（ＮＩＣ）を抽出する送信網識別符号抽出器と、
前記ＤＶＢ-Ｔ復調器から出力される暗号化された放送信号を前記送信網識別符号抽出器から抽出された送信網識別符号（ＮＩＣ）を利用して復号化アルゴリズムによって復号するデコーダと、
前記デコーダで復号されたデータを処理して使用者に出力するマルチメディア処理部とを含むことを特徴とするデジタル放送受信端末。
【請求項２３】
前記受信端末の使用者が有料加入者である場合、前記デコーダは前記暗号化された放送信号を復号するために外部から特定復号化キーを受信することを特徴とする請求項２２に記載の端末。
【請求項２４】
前記デコーダは前記暗号化された放送信号を復号するために外部から特定復号化キーを受信することを特徴とする請求項２２に記載の端末。
【請求項２５】
前記受信端末は移動通信モジュールを含み、
前記移動通信モジュールを介して特定移動通信網から前記復号化キーを受信することを特徴とする請求項２３に記載の端末。
【請求項２６】
前記デコーダは前記抽出された送信網識別符号（ＮＩＣ）を使用して前記受信された復号化キーを復号して特定暗号キーを抽出し、前記抽出された特定暗号キーで前記暗号化された放送信号を復号化して放送信号を復号することを特徴とする請求項２２に記載の端末。
【請求項２７】
前記デコーダは前記移動通信網を介して周期的に前記復号化キーを受信することを特徴とする請求項２２に記載の端末。
【請求項２８】
デジタル放送受信方法において、
ａ）データパケット、放送信号を送出した送信網を識別する送信網識別符号（ＮＩＣ）を含む放送信号を受信する段階と、
ｂ）前記放送信号を復調して前記送信網識別符号（ＮＩＣ）を抽出する段階と、
ｃ）前記抽出された送信網識別符号を分析して前記受信された放送信号を送信した送信網が中継網であるか否かを判断する段階と、
ｄ）前記放送信号を送出した送信網が中継網であると判断されたとき、前記送信網識別符号と特定復号化キーを使用して前記放送信号を復号して出力する段階とを含むことを特徴とするデジタル放送受信方法。
【請求項２９】
前記デジタル放送はＤＶＢ-Ｔ方式に基づいており、
前記送信網識別符号は前記ＤＶＢ-Ｔ方式によって送信データのパラメータを送信するのに使用される送信パラメータ信号（ＴＰＳ）キャリア内に含まれることを特徴とする請求項２８に記載の方法。
【請求項３０】
前記ｄ）段階で使用される特定復号化キーは移動通信網を介して周期的に受信されることを特徴とする請求項２８又は２９に記載の方法。
【請求項３１】
前記ｂ）段階は、
前記放送信号を復調してＴＰＳキャリアを抽出する段階と、
前記抽出されたＴＰＳキャリア内に含まれた前記送信網識別符号（ＮＩＣ）を抽出する段階とを含むことを特徴とする請求項２９に記載の方法。
【請求項３２】
前記ｃ）段階で、前記放送信号を送出した送信網が中継網でないと判断されるとき、前記送信網識別符号を使用して前記放送信号を復号して出力することを特徴とする請求項２８又は２９に記載の方法。
【発明の詳細な説明】
【技術分野】
【０００１】
本発明は、受信制限システム（Ｃｏｎｄｉｔｉｏｎａｌ Ａｃｃｅｓｓ Ｓｙｓｔｅｍ:ＣＡＳ）に関し、より具体的には、放送事業者が複数ある場合に放送事業者別に受信者に制限受信を与えるデジタル放送送信システム及びその方法、並びにデジタル放送受信端末及びその方法に関する。
【背景技術】
【０００２】
デジタル放送は多チャンネル化、高品質化及び多機能化に特徴がある。特に、多重化技術の発展で映像、音声、データをその内容、きさに、及びその送信方法に関係なく同時に束にすることができ、モデムによるリターンチャンネルが形成されて対話型サービスが可能である。そのために、デジタル放送は従来アナログ放送の問題を克服して付加価値の高いマルチメディアサービスを視聴者に提供することができる。
【０００３】
特に、デジタル放送標準のうちの１種である地上波デジタルビデオ放送（Ｄｉｇｉｔａｌ Ｖｉｄｅｏ Ｂｒｏａｄｃａｓｔｉｎｇ-Ｔｅｒｒｅｓｔｒｉａｌ:ＤＶＢ-Ｔ）及びＤＶＢ-Ｔに基づいたデジタル移動放送（Ｄｉｇｉｔａｌ Ｖｉｄｅｏ Ｂｒｏａｄｃａｓｔｉｎｇ-Ｈａｎｄｈｅｌｄ:ＤＶＢ-Ｈ）はビデオイメージ及びサウンドを示すデータを放送無線通信信号を通じて受信機に送信するヨーロッパのデジタルテレビ放送である。
【０００４】
このようなデジタル放送で送信側と受信側の間に相互安全性が確立されない場合、放送の商業的構造が崩れる。そして、放送事業者は多チャンネル及び専門チャンネルの活性化で従来広告収入に依存したサービスを脱皮して加入者に良質の放送サービスを提供し、Ｐａｙ-ＴＶ、Ｐａｙ-Ｐｅｒ-Ｖｉｅｗ（ＰＰＶ）の有料放送サービスを提供し、また多様なマルチメディアデータが保護されて認証された加入者のみに提供されることを希望するが、このような問題を解決するために開発されたものが制限受信システム（Ｃｏｎｄｉｔｉｏｎａｌ Ａｃｃｅｓｓ Ｓｙｓｔｅｍ:ＣＡＳ）である。
【０００５】
このようなＣＡＳは放送に加入者概念を導入して正当な視聴権限を有する加入者のみが特定プログラムを受信できるようにするシステムで、受信者にある特定の放送プログラムに対する受信可能可否をそれぞれのデジタル放送受信機が決めるようにする一連の過程を意味する。
【０００６】
一般的なデジタル放送で、単一または多重周波数網内に主放送網を形成する送信局があり、主放送網内でサービスが受信されない陰影地域が発生するが、この陰影地域をサービスするために中継局を置く。例えば、ＤＶＢ-Ｔで大部分の地域は直接受信が可能であるが、直接受信が不可能な地下鉄、トンネル、建物内陰影地域では中継局を置いて受信領域を確保する。
【０００７】
主放送局は通常キー局（ｋｅｙ  ｓｔａｔｉｏｎ）と言い、放送網組織で中心になって放送順を編成、製作及び送信する放送局のことを言う。
【０００８】
また、中継局は小電力の補助的な放送局を言い、サテライト局とも言う。通常、放送局はサービス領域、つまり、指定放送区域を有しているが、その周辺地区では地形の影響で到来電波が弱く、陰影地域が生じるので、このような地域に対してサテライト局が設けられる。それは、主放送局の電波を受信できる山頂上のようなところに設置し、高感度受像機でこれを受信して電気的に増幅した後、他の周波数の電波で放送する。
【発明の開示】
【発明が解決しようとする課題】
【０００９】
しかし、主放送網事業者が中継機事業者が互いに異なる場合、中継機事業者は、陰影地域に放送網を設置及び維持をする費用を必要とし、中継網使用に対する有料化を必要とする。つまり、中継網活性化のために中継機事業に対する有料化が要求されるが、現在までこのような有料化に対する適切な対応策がない。
【００１０】
上記背景技術に開示された情報は、本発明の背景の理解を促進するためだけのものであり、本国において当該技術分野の当業者に既知である従来技術を形成していない情報を含む。
【００１１】
本発明は、単一又は多重周波数網を有する放送網内で有料加入者及び無料加入者に対して主放送網受信可能範囲内では有料加入者及び無料加入者ともサービス受信が可能であり、中継網受信可能範囲内では有料加入者のみサービス受信を可能にするデジタル放送送信システム及びその方法、並びにデジタル放送受信端末及びその方法を提供する。
【課題を解決するための手段】
【００１２】
本発明の一の態様によれば、デジタル放送送信シテムは、主放送網を通じたデータパケット及び送信網識別符号（ＮＩＣ）を放送信号を付加し、特定暗号キーを使用して暗号化した後送信する主放送システムと、前記主放送システムから送出される暗号化された放送信号を中継網を介して中継する中継システムと、前記主放送システム又は前記中継システムから復号化キー受信して有料加入者局に送信する移動通信システムとを含み、前記有料加入者局は、前記暗号化された放送信号から抽出された送信網識別符号と前記復号化キーを使用して前記暗号化された放送信号を復号する。デジタル放送はＤＶＢ-Ｔ（Ｄｉｇｉｔａｌ Ｖｉｄｅｏ Ｂｒｏａｄｃａｓｔｉｎｇ-Ｔｅｒｒｅｓｔｒｉａｌ）方式に基づいでおり、送信網識別符号（ＮＩＣ）はＤＶＢ-Ｔ方式によって送信データのパラメータを送信するのに使用される送信パラメータ信号（ＴＰＳ：Ｔｒａｎｓｍｉｓｓｉｏｎ Ｐａｒａｍｅｔｅｒ Ｓｉｇｎａｌｌｉｎｇ）キャリア内に含まれる。
【００１３】
本発明の他の態様によれば、デジタル放送送信方法は、ａ）放送型コンテンツに関する付加情報を多重化して放送信号を生成する段階と、ｂ）前記生成された放送信号を特定暗号キーを使用して暗号化し、暗号化された放送信号を生成する段階と、ｃ）主放送網と中継網を含み、前記暗号化された放送信号を送出した送信網を識別するための送信網識別符号（ＮＩＣ）を前記暗号化された放送信号に挿入する段階と、ｄ）前記暗号化された放送信号を送出する段階とを含み、前記特定暗号キーは、前記送信網識別符号によって暗号化されて復号化キーとして送信され、前記復号化キーは前記送信網識別符号と共に前記ｄ）段階で送信される暗号化された放送信号を復号するのに使用される。
【００１４】
本発明の他の態様によれば、ＤＶＢ-Ｔ（Ｄｉｇｉｔａｌ  Ｖｉｄｅｏ  Ｂｒｏａｄｃａｓｔｉｎｇ−Ｔｅｒｒｅｓｔｒｉａｌ）デジタル放送受信端末は、アンテナを介して受信される信号を前記ＤＶＢ-Ｔ方式によって復調して暗号化された放送信号と伝送データのパラメータを送信するのに使用されると共に送信網識別符号（ＮＩＣ）を含む送信パラメータ信号（ＴＰＳ）キャリアを出力するＤＶＢ-Ｔ復調器と、前記ＤＶＢ-Ｔ復調器から出力されるＴＰＳキャリアから送信網識別符号（ＮＩＣ）を抽出する送信網識別符号抽出器と、前記ＤＶＢ-Ｔ復調器から出力される暗号化された放送信号を前記送信網識別符号抽出器から抽出された送信網識別符号（ＮＩＣ）を利用して復号化アルゴリズムによって復号するデコーダと、前記デコーダで復号されたデータを処理して使用者に出力するマルチメディア処理部とを含む。
【００１５】
本発明の他の態様によれば、デジタル放送受信方法は、ａ）データパケット、放送信号を送出した送信網を識別する送信網識別符号（ＮＩＣ）を含む放送信号を受信する段階と、ｂ）前記放送信号を復調して前記送信網識別符号（ＮＩＣ）を抽出する段階と、ｃ）前記抽出された送信網識別符号を分析して前記受信された放送信号を送信した送信網が中継網であるか否かを判断する段階と、ｄ）前記放送信号を送出した送信網が中継網であると判断されたとき、前記送信網識別符号と特定復号化キーを使用して前記放送信号を復号して出力する段階とを含む。
【発明を実施するための最良の形態】
【００１６】
以下、本発明の実施の形態を添付図を参照して説明する。
【００１７】
図面を参照して、本発明の実施の形態に係る受信制限のための送信システム及びその方法、並びに受信端末及びその方法について詳細に説明する。
【００１８】
まず、本発明の実施の形態では、加入者に伝送されるデータパケットをスクランブリング（暗号化）し、ＤＶＢ-Ｔシステムで送信データのパラメータを送信するのに使用される送信パラメータ信号（ＴＰＳ）キャリアの一部データ、つまり、送信網識別符号（ＮＩＣ：Ｎｅｔｗｏｒｋ Ｉｄｅｎｔｉｆｉｃａｔｉｏｎ Ｃｏｄｅ）を送信されるデータパケットのキー値として活用することによって、送信機別に制限受信を可能にするデジタル放送制限受信システム（ＣＡＳ）に属する。
【００１９】
言い換えると、本発明の実施の形態では、デジタル放送システム、特にＤＶＢ-ＴやＤＶＢ-Ｈにおいて単一又は多重周波数網で送信事業者が異なる場合、送信機事業者別に受信者が送信機毎に制限受信できるデジタル放送システムが開示されている。
【００２０】
具体的には、単一又は多重周波数網を有する放送網内で、有料加入者及び無料加入者に対して主放送網受信可能範囲内ではサービス受信を可能にし、中継網受信可能範囲内では有料加入者のみサービス受信を可能になる。また、主放送網受信可能範囲と中継網受信可能範囲が重なる領域では有料加入者及び無料加入者が同時に受信することができる。この場合、基本前提は主放送網の無料加入者に対するサービスに対しては中継網の追加によって影響を受けてはならず、主放送網受信可能範囲に減少があってはならず、主放送網と中継網の間のハンドオフ時にはサービスの連続性が確保されなければならない。
【００２１】
図１は、本発明の実施の形態に係るデジタル放送送信システムの構成を示すブロック図である。
【００２２】
図１を参照すると、本発明の実施の形態による単一又は多重周波数網でのデジタル放送送信システムは、送信網識別符号（ＮＩＣ）を含むＴＰＳキャリアを送信する主放送システム１１０と、使用者を認証し、移動通信網を介して制限受信を行うためのキー値を送信する移動通信システム１３０と、主放送局のストリーム（ｓｔｒｅａｍ）を中継する中継システム１２０と、これを処理する加入者端末１４０とで構成される。以下、主放送システム１１０は主放送局と同一な意味で使用され、中継システム１２０は中継局と同一な意味で使用される。
【００２３】
まず、単一又は多重周波数網でのデジタル放送送信システムは、主放送局で暗号化器１１５及び暗号化キー発生器１１６を追加することによって送信機識別情報及び制限受信を利用してマルチメディアコンテンツに対する暗号化を適用し、暗号化された放送信号が主放送網を介して伝送されたことを加入者端末が識別できるようにＴＰＳキャリアを適用する。
【００２４】
また、本発明の実施の形態において、単一周波数網の場合には、主放送網と中継網のデータは同じパケットで構成し、信号同期を保証することによって主放送網と中継網間の干渉なく放送網を構成する。多重周波数網である場合には、主送信機が他の周波数を割り当て、同じストリームを構成する。
【００２５】
ここで、ＴＰＳキャリアは送信データのパラメータを伝送するのに使用されるが、本発明の実施の形態では送信機識別及び復号化キーとして使用される送信網識別符号（ＮＩＣ）を含み、この送信網識別符号は、実質的に、上記ＴＰＳキャリア内にあるセルＩＤ（Ｃｅｌｌ_ｉｄ）又は冗長ビットに当り、これらは主放送網を介して放送信号が送信されたか否か、主放送網のどの送信機で送信されたか又は中継網を介して送信されたかを加入者端末が識別できるようにする。ＴＰＳキャリア６８は、例えば、伝送モードが８Ｋモードである場合、Ｓ０〜Ｓ６７まで全６８ビットから成る。このＴＰＳキャリアでセルＩＤはＳ４０〜Ｓ４７まで８ビットであり、冗長ビットはＳ５４〜Ｓ６７まで１４ビットである。これらデータはＤＢＰＳＫ変調処理され、それぞれ１ビット当り１個のキャリアにマッピングされる。キャリアは、ＯＦＤＭシステムで互いに周波数軸上で分離可能であるので、互いに異なる送信機又は中継機は周波数軸上で互いに異なる位置にある値の組み合わせで表現されることができる。しかしながら、重畳地域でこのような複数のキャリアが合わされる場合に、元の送信機及び中継機の正確なキャリアの組み合わせを捜し出すことが難しいので、送信機及び中継機でこのようなキャリアの組み合わせを作り出す時には事前に約束された規則によって組み合わせを作って受信機で各キャリア組み合わせを正確に捜し出せるようにする。つまり、組み合わせが重複しないように配列することによって、単一又は多重周波数網で２個以上の信号が受信されたときに送信機のＩＤを区別することができる。一例として、セルＩＤを使用する場合、全体８ビットを各キャリアにマッピングするとき、最初の４ビットは主送信網で使用できる領域とし、次の４ビットは中継網で使用する領域であると定義すれば主送信網と中継網を区別することができる。同様に、冗長ビットを利用する場合は、全１４ビットがキャリアにマッピングされ、その結果、最初の７ビットを主送信網に利用し、次の７ビットを中継網に利用することにより、重畳地域でも各網を識別することができる。各ビットがマッピングされるキャリアは周波数が異なる領域にあるからである。さらに細分化する必要がある場合には、１ビットずつ使用する方法で送信機及び中継機を識別することができる。
【００２６】
図３は、ＴＰＳキャリアで冗長ビットを送信網識別符号（ＮＩＣ）として使用する場合の本発明の実施の形態に係る例が示されている。図３の例では２つの網が区分される場合を示している。つまり、冗長ビットの最初の７ビット“１０１１００１”は主送信網の識別符号を示し、次の７ビット“０１１１００１”は副送信網の識別符号を示す。
【００２７】
このような方法を利用して様々な網が存在する時にも同様に複数の周波数ブロックに区分すると各網の区別が可能になる。
【００２８】
一方、主放送局１１０は主放送局１１０の送信網識別符号（ＮＩＣ）を規定し、対応する暗号化キーを保護するように送信網識別符号（ＮＩＣ）を適用し、また、主放送局１１０の送信網識別符号（ＮＩＣ）を周期的に変更し、これに伴う暗号化を行う時に修正された送信網識別符号（ＮＩＣ）を適用する。
【００２９】
また、主放送局１１０は、暗号化アルゴリズムの暗号化キー及びキー生成アルゴリズムを適用して送信されるデータを生成し、当該暗号化キーによって送信データを暗号化し、加入者局１４０は受信される送信網識別符号（ＮＩＣ）を捜して復号化する。
【００３０】
また、中継局１２０は、単一又は多重周波数網（ＳＮＦ）に相当する周波数網信号を増幅して送信したり、主放送局１１０で専用線を介して入力されるパケットを変調且つ増幅して送信する。また、中継局１２０は、主放送局１１０から入力されるパケットを中継する時に中継局送信網識別符号（ＮＩＣ）値を主放送局送信網識別符号（ＮＩＣ）値と異ならせて再割当して送出する。
【００３１】
また、移動通信システム１３０は、復号化キー値を移動通信網を介して有料加入者の端末１４０に送信する。
【００３２】
また、加入者端末１４０は、主放送網又は中継網を介して受信される放送信号に含まれる主放送網の暗号化された信号、送信網識別符号（ＮＩＣ）、及び暗号化キーを既に設定された復号化方式によって復号する。また、加入者局１４０は、移動通信モジュールを含み、移動通信網を介して各加入者端末毎に固有の暗号化されたキーと復号化できる復号化キーを送信し、復号化キーを受信した特定の加入者局のみ自分が受信しているデータを復号する。
【００３３】
より具体的に、図１を再び参照すると主放送局１１０はメディアエンコーダ１１１、複数のマルチメディアサーバー（１１２ａ、１１２ｎ）、プログラム多重化器１１３、送信多重化器１１４、暗号化器１１５、暗号化キー発生器１１６、ＮＩＣ発生器１１７、ＴＰＳ生成器１１８、及びＤＶＢ-Ｔ変調器１１９を含む。
【００３４】
プログラム多重化器１１３はコンテンツ提供者のメディアエンコーダ１１１又は複数のデータサーバー（１１２ａ、１１２ｎ）からそれぞれ提供されるビデオ、オーディオ、及びデータを多重化して出力する。オーディオサービスはＣＤ級音質のオーディオサービスを提供するために独立的なチャンネルを介して送信される。データサービスはオーディオサービスの歌詞のようなテキストデータの送信に利用できる。ビデオサービスは、自主的に動画、オーディオ及び多重化/同期化情報を含まなければならないので、ビデオ多重化器を介して１つのパケットに多重化された後に送信される。ここで、オーディオ、データ、及びビデオサービスはプログラム多重化器１１３でサービスチャンネルに多重化された後、伝送多重化器１１４でビデオ、オーディオ、及び他のデータを送信するのに必要な他の情報を有する多重化された伝送パケットを形成して出力する。この時、受信制限機能はプログラム多重化器１１３及び伝送多重化器１１４では行われず、暗号化器１１５を介して暗号化され、送信網識別符号（ＮＩＣ）を介して復号化できる。
【００３５】
暗号化器１１５は伝送多重化器１１４から送信される放送信号を特定暗号化キーを使用して暗号化し、暗号化キー発生器１１６は暗号化器１１５で使用される特定暗号化キーを主放送局１１０の送信網識別符号（ＮＩＣ）を使用して生成する。つまり、主放送局１１０はマルチメディアプログラム又はコンテンツを暗号化し、放送信号を復号化する暗号化キーを既に設定された暗号化方式によって送信するが、詳細には、ＮＩＣ発生器１１７によって放送信号を送出した網が主放送網であるか中継網であるかを識別するように発生される送信網識別符号（ＮＩＣ）を使用して暗号化キーを生成する。つまり、主放送局１１０及び中継局１２０は、加入者局１４０がそれぞれ送出された放送信号が主放送網信号であるか中継網信号であるかを識別できるように送信網識別符号（ＮＩＣ）を送信する。暗号化キー発生器１１６で発生した暗号化キーは復号化キー値で移動通信システム１３０に伝達される。
【００３６】
ＴＰＳ生成器１１８はＴＰＳキャリアのセルＩＤ又は冗長ビットのいずれか１つにＮＩＣ発生器１１７で発生した送信網識別符号（ＮＩＣ）を挿入する。
【００３７】
ＤＶＢ-Ｔ変調器１１９は、ＤＶＢ-Ｔ方式によって暗号化された放送信号、暗号化キー、及び主放送局送信網識別符号（ＮＩＣ）を変調した放送信号を主放送網を介して加入者に送出する。
【００３８】
このようなＤＶＢ-Ｔ変調器１１９については図２を参照して説明する。
【００３９】
図２は、図１に示されたＤＶＢ-Ｔ変調器の詳細ブロック図である。
【００４０】
図２に示すように、ＤＶＢ-Ｔ変調器１１９は、多重化適応及びエネルギー分配器１１９-１、外部コーダー、及びインターリーバ１１９-２、内部コーダー及びインターリーバ１１９-３、マッパー１１９-４、フレーム適応器１１９-５、パイロット及びＴＰＳ挿入器１１９-６、ＯＦＤＭ変調器１１９-７、ガードインターバル挿入器１１９-８、Ｄ/Ａ変換器１１９-９及びフロントエンド１１９-１０を含む。
【００４１】
多重化適応及びエネルギー分配器１１９-１は暗号化器から出力される暗号化されたパケットデータのランダム化によりエネルギーを分配し、信号の集中化を防止して平均信号電力を０にする。
【００４２】
外部コーダー及びインターリーバ１１９-２はバーストエラーに対する対策として多重化適応及びエネルギー分配器１１９-１によってランダム化されたデータを外部コーディングした後、時間軸上でインターリービングを行う。
【００４３】
内部コーダー及びインターリーバ１１９-３はビット単位のエラー復旧のための内部コーディングを行った後、周波数軸上でインターリービングを行う。
【００４４】
マッパー１１９-４は、ＱＰＳＫ又はＱＡＭのような変調方式によって内部コーダー及びインターリーバ１１９-３から出力されるデータをマッピングし、フレーム適応部１１９-５はマッパー１１９-４でマッピングされたデータをフレーム構造に変更する。
【００４５】
パイロット及びＴＰＳ挿入器１１９-６はパケットの伝送に関する情報を示すパイロットとＴＰＳ生成器１１８で生成されたＴＰＳをキャリアをフレーム適応部１１９-５に提供して生成されるフレーム構造のデータに結合させる。
【００４６】
ＯＦＤＭ変調器１１９-７はフレーム適応部１１９-５から出力されるデータをフレーム単位でＯＦＤＭ変調し、ガードインターバル挿入器１１９-８はＯＦＤＭ変調器１１９-７から出力されるデータにガードインターバルを挿入する。
【００４７】
Ｄ/Ａ変換器１１９-９はガードインターバル挿入器１１９-８から出力されるデータを基底帯域のアナログ信号に変換し、フロントエンド１１９-１０はＤ/Ａ変換器１１９-９から出力されるアナログ信号を主放送網に伝達して加入者に送信する。
【００４８】
また、中継局１２０は同一チャンネル中継器（Ｏｎ Ｃｈａｎｎｅｌ Ｒｅｐｅａｔｅｒ）１２１及び中継局送信網識別符号（ＮＩＣ）挿入器１２２を含み、この時、中継局１２０は、単一又は多重周波数網に相当する主放送網の信号を増幅して送信したり、主放送局１１０で専用線を介して入力されるパケットを変調及び増幅して中継する。中継する時には中継局１２０の送信網識別符号（ＮＩＣ）値を主放送局１１０の値と異ならせて再割当して中継網受信可能範囲内では無料加入者が信号を受信できないようにする。
【００４９】
また、移動通信システム１３０は使用者認証サーバー１３１を含み、暗号化された放送信号を復号化することができる復号化キーを有料加入者の端末に送信する。また、移動通信システム１３０は加入者局１４０がキーの暗号化を復号して当該暗号化キーを取得するように周期的に移動通信網又はインターネットを介してキーを加入者局１４０に送信する。
【００５０】
また、有料加入者は移動通信システム１３０を介して復号化キーを受信して制限受信された放送信号を復号化することによって中継網から有料サービスを受ける。
【００５１】
図４は、本発明の実施の形態に係る単一又は多重周波数網でのデジタル放送送信及び受信サービスの概念を説明するための図面である。
【００５２】
図４を参照すると、本発明の実施の形態による単一又は多重周波数網でのデジタル送信及び受信サービス領域は主放送網２１０、中継網２２０、主放送網受信可能範囲と中継網受信可能範囲が重なる領域２３０で構成される。
【００５３】
主放送網２１０内には主放送網送信機２１１が備えられ、有料加入者２１２（Ａ１）及び無料加入者２１３（Ｂ１）が主放送網送信機２１１から送出される主放送網の識別符号（ＮＩＣ）をキー値として受信する。
【００５４】
中継網２２０内には中継局２２１が備えられ、有料加入者２２２（Ａ３）及び無料加入者（２２３:Ｂ３）が中継局２２１から送信される中継網識別符号（ＮＩＣ）をキー値として受信する。ここで、中継網２２０内の有料加入者２２２には移動通信網を介して使用者認証サーバー１３１から復号化キー値が伝達されることによって、中継網２２０内の有料加入者２２２は放送を受信することができるが、無料加入者２２３は復号化キーがないため受信不可能である。
【００５５】
また、主放送網２１０の受信可能範囲と中継網２２０の受信可能範囲が重なる領域２３０では有料加入者２３１（Ａ２）及び無料加入者２３２（Ｂ２）が主放送網送信局２１１から送信される主放送網識別符号（ＮＩＣ）又は中継局２２１から送信される中継網識別符号（ＮＩＣ）を受信する。
【００５６】
言い換えると、本発明の実施の形態では、暗号化及び復号化による放送網の制限受信が可能な構造で、有料加入者（Ａ１、Ａ２、Ａ３）は主放送網識別符号（ＮＩＣ）、中継網識別符号（ＮＩＣ）、移動通信復号化キーを全て受信することができるが、無料加入者（Ｂ１、Ｂ２、Ｂ３）は主放送網識別符号（ＮＩＣ）及び中継網識別符号（ＮＩＣ）のみ受信でき、結局、受信されるキーの組み合わせは主放送網送信局２１１で送信される主放送網識別符号（ＮＩＣ）又は移動通信網で受信される復号化キーのみが復号化できるキー組み合わせに決定される。
【００５７】
図５は、本発明の実施の形態に係る単一又は多重周波数網でのデジタル放送受信端末の構成図であり、例えば、移動端末であり得る加入者局３００はＤＶＢ-Ｔ復調器３１０、ＮＩＳ抽出器３２０、ＮＩＳデコーダー３３０、マルチメディア処理モジュール３４０及び出力部３５０を含むことができ、暗号化された放送信号を復号化することができる復号化アルゴリズムをプログラム形式で内蔵する。つまり、加入者局３００は受信された送信網識別符号（ＮＩＣ）値を識別し、暗号化キーを取得すべく復号化し、暗号化キーを使用して受信されたデータを復号化することができる機能をプログラム形態で内蔵する。
【００５８】
具体的には、加入者端末３００のＤＶＢ-Ｔ復調器３１０は、アンテナを介して暗号化された放送信号が受信すると、該当チャンネルを選択して受信された放送信号をＤＶＴ-Ｔ方式によって復調して暗号化された放送信号とＴＰＳキャリアを出力する。
【００５９】
ＮＩＣ抽出器３２０は、ＤＶＢ-Ｔ復調器３１０から出力されるＴＰＳキャリアに含まれる送信網識別符号（ＮＩＣ）を抽出する。
【００６０】
ＮＩＳデコーダー３３０はＤＶＢ-Ｔ復調器３１０から出力される信号が暗号化された放送信号である場合、ＮＩＣ抽出器３２０で抽出された送信網識別符号（ＮＩＣ）と復号化キーを利用してＭＰＥＧ２ＴＳパケットデータを復号化する。この時、復号化キーは移動通信システム１３０から受信して使用する。このため、加入者端末３００には移動通信サービスを受けられる移動通信モジュールが搭載され、このことは、当業者には知られたことであるので、ここでは詳細な説明を省略する。
【００６１】
また、マルチメディア処理モジュール３４０は、ＮＩＳデコーダー３３０の出力を受信し、これを出力部３７０が表示することができる形態に処理する。
【００６２】
また、加入者局３００はＵＳＢポット（図示せず）を追加的に含むことができ、ＵＳＢポットは加入者局３００がインターネットに接続して移動通信網を介して復号化キーを受信するのに使用することができる。
【００６３】
ＤＶＢ-Ｔ復調器３１０については図６を参照して説明する。
【００６４】
図６は図５に示すＤＶＢ-Ｔ復調器の詳細ブロック図である。
【００６５】
図６に示すように、ＤＶＢ-Ｔ復調器３１０は、チューナー３１０-１、Ａ/Ｄ変換器３１０-２、ガードインターバル除去器３１０-３、ＯＦＤＭ復調器３１０-４、等化器３１０-５、デマッパー３１０-６、内部デインターリバー及びデコーダー３１０-７、外部デインターリバー及びデコーダー３１０-８、デランダマイザー３１０-９、及びＴＰＳ抽出器３１０-１０を含む。
【００６６】
ＤＶＢ-Ｔ復調器３１０は、図２を参照して説明したＤＶＢ-Ｔ変調器１１９の動作の逆過程からなる。
【００６７】
チューナー３１０-１はアンテナを介して受信される放送信号をチューニングして出力し、Ａ/Ｄ変換器３１０-２はチューナー３１０-１から出力されるアナログ信号をデジタル信号に変換して出力する。
【００６８】
ガードインターバル除去器３１０-３はＡ/Ｄ変換器３１０-２から出力されるデジタル信号からガードインターバルを除去し、ＯＦＤＭ復調器３１０-４はガードインターバルが除去されたデジタル信号をフレーム単位で復調して出力する。
【００６９】
等化器３１０-５はＯＦＤＭ復調されたデータを等化させてチャンネルによって歪曲されたキャリアの補償を行い、デマッパー３１０-６は等化器３１０-５から出力されるデータに対して伝送されたデータのマッピング法に応じて逆にデマッピングを行う。
【００７０】
内部デインターリバー及びデコーダー３１０-７はデマッパー３１０-６から出力されるデータに対してシンボル単位とビット単位で内部デインターリービングを行った後、内部デコーディングを行う。
【００７１】
外部デインターリバー及びデコーダー３１０-８は内部復号されたデータに対して外部デインターリービング及び外部復号を行い、デランダマイザー３１０-９は外部復号されたデータに対してデランダマイジングを行って送信端のＤＶＢ-Ｔ変調機１１９に入力される信号状態で復号した後、ＮＩＳデコーダー３３０に出力する。
【００７２】
ＴＰＳ抽出器３１０-１０はＯＦＤＭ復調器３１０-４から出力される信号でＴＰＳキャリアを抽出してＮＩＣ抽出器３２０に伝達する。
【００７３】
図７は、本発明の実施の形態に係る加入者形態別及び受信位置別の制限受信サービス可能可否を示す図である。
【００７４】
図７は、前述した図４に示された加入者受信機の位置及び加入形態に応じて受信される組み合わせのテーブルを示し、有料加入者の場合には、主放送網２１０及び中継網２２０で全て受信が可能であるが、無料加入者の場合には主放送網２１０のみで受信が可能であるので、そのために送信局別に制限受信を可能にする。
【００７５】
図８は、本発明の実施の形態に係る単一又は多重周波数網でのデジタル放送受信端末による暗号化送受信のためのブロック図を示す。
【００７６】
図８を参照すると、送信部分のデータパケット５１０はスクランブラー５３０によるスクランブリング過程を介して暗号化されるが、この時、主放送局の送信網識別符号（ＮＩＣ）値又は移動通信復号化キー５２０が暗号化に使用される。ここで、スクランブリングプロセスは、送信されるマルチメディアデータを一定の規則でスクランブリングして、そのプログラムを受信権限のない受信者が視聴できないように信号を変形することである。
【００７７】
また、受信部分による暗号が解読できるキーは主放送局の送信網識別符号（ＮＩＣ）値又は移動通信復号化キー５４０によってデスクランブラー５５０が暗号を解読して元のデータパケット５６０で復号化する。
【００７８】
この時、無料加入者は、主放送局の送信網識別符号（ＮＩＣ）値のみを受信できるが、有料加入者は、主放送局の送信網識別符号（ＮＩＣ）値と移動通信復号化キーを受信できる。
【００７９】
したがって、無料加入者は、主放送局網から送信網識別符号（ＮＩＣ）値のみを受信できるが、中継網が中継局送信網識別符号（ＮＩＣ）値を主放送局送信網識別符号（ＮＩＣ）値と異なるように送信するために中継網からの受信が不可能であり、有料加入者は、主放送網でも受信が可能で、中継網では移動通信網で受信した復号化キーを使用して受信が可能になる。
【００８０】
このような送信部分での問題点は、無料加入者が主放送網を介して受信した送信網識別符号（ＮＩＣ）値を貯蔵して中継網に移動する場合に、無料加入者は中継網での受信が可能になるということである。このような問題を解決するために、主放送局内の暗号化サーバーが主放送局送信網識別符号（ＮＩＣ）値を周期的に変更し、データパケットのスクランブリングの問題は、修正された送信網識別符号（ＮＩＣ）値を適用することによって解決することができる。
【００８１】
以下、図９を参照して、本発明の実施の形態に係る単一又は多重周波数網での無料加入者のデジタル放送受信方法について説明する。
【００８２】
まず、無料加入者がデータパケット及び送信網識別符号（ＮＩＣ）を受信し（Ｓ６１０）、受信された送信網識別符号（ＮＩＣ）値を検索してその値をキー値として受信されたデータパケットをデスクランブリングする（Ｓ６２０）。
【００８３】
次に、データパケットが無料加入者の端末でデスクランブリングが可能であるか否かを確認し（Ｓ６３０）、データパケットをデスクランブリングすることができればデータパケットを復号化することができるか否かを確認する（Ｓ６４０）。データパケットを復号化することができる場合、データパケットを復号化して放送を受信する（Ｓ６５０）。
【００８４】
しかし、前述のように、無料加入者が主放送網内で受けた送信網識別符号（ＮＩＣ）値を貯蔵して中継網に移動する場合、無料加入者の中継網での受信が可能になる。このような問題を解決するために、主放送局内の暗号化サーバーが主放送局送信網識別符号（ＮＩＣ）値を周期的に変更し、これによるデータパケットのスクランブリングも前記変更された送信網識別符号（ＮＩＣ）値を適用することによって解決できる。
【００８５】
具体的に、データパケットを復号化して放送を受信している場合、受信端末のカウンターを増加させ（Ｓ６６０）、カウンター値が設定された周期値と同一であるか否かを確認して（Ｓ６７０）、カウンター値が周期値と同一でない場合には、カウンター値が周期値と同一になるまで前述したＳ６４０段階からＳ６６０段階を繰り返す。カウンター値が周期値と同一である場合には、カウンターをリセットさせる（Ｓ６８０）。ここで、周期値は主放送局内の暗号化サーバーが主放送局送信網識別符号（ＮＩＣ）値を変更した周期値で、無料加入者の受信端末でカウンター値が周期値と同一になるとカウンターをリセットさせることによって、無料加入者が主放送網内で受けた送信網識別符号（ＮＩＣ）値を貯蔵して中継網に移動する場合にも無料加入者が中継網での受信を防止することができる。
【００８６】
無料加入者の受信端末は前記Ｓ６３０段階でデスクランブリングが可能でないか、上記Ｓ６４０段階でデータパケットを復号化することができなくて正常に放送を受信できないこともある。
【００８７】
言い換えると、無料加入者の受信端末は主放送網内では正常に放送が受信されるが、中継網では受信されない。つまり、無料加入者の受信端末は送信網識別符号（ＮＩＣ）値を周期的に検索して受信端末が主放送網から中継網に移動してハンドオフが発生した場合、送信網識別符号（ＮＩＣ）値は前記中継網で受信される送信網識別符号（ＮＩＣ）値を適用するが、この時、データパケットがデスクランブリングされないために中継網では正常的な放送を受信できなくなる。
【００８８】
結局、本発明の実施の形態による単一又は多重周波数網で無料加入者のデジタル放送受信方法は、中継網内ではデスクランブリングされたパケットに対して解釈が可能でないか、又は復号化が可能でなくなり、このような復号化のためのキーがないため正常に放送を受信できなくなる。
【００８９】
以下、図１０を参照して、本発明の実施の形態に係る単一又は多重周波数網で有料加入者のデジタル放送受信方法について説明する。
【００９０】
まず、有料加入者が主放送網又は中継網内でデータパケットと共に送信網識別符号（ＮＩＣ）を受信し（Ｓ７１０）、受信される送信網識別符号（ＮＩＣ）値を検索してその値をキー値として受信されたパケットをデスクランブリングする（Ｓ７２０）。
【００９１】
次に、データパケットが有料加入者の端末でデスクランブリングが可能か否かを確認し（Ｓ７３０）、データパケットをデスクランブリングできればデータパケットを復号化することができるか否かを確認し（Ｓ７４０）、データパケットを復号化することができれば、スクランブリングを行って正常に放送を受信する（Ｓ７６０）。
【００９２】
上記Ｓ７３０段階でデータパケットをデスクランブリングできない場合、又はＳ７４０段階でデスクランブリングされたデータパケットを復号化できない場合には、移動通信網から復号化キーを受信する（Ｓ７５０）。つまり、有料加入者の端末に受信される送信網識別符号（ＮＩＣ）値で受信パケットがデスクランブリング又は復号化受信されなければ、例えば、有料加入者の受信端末が主放送網から中継網に移動してハンドオフが発生した場合、有料加入者は移動通信網を通じて復号化キーを受信し、この値でスクランブリングを行うことによって中継網内でも受信が可能になる。
【００９３】
この時、有料加入者の受信端末は送信網識別符号（ＮＩＣ）値を周期的に検索して受信端末が主放送網から中継網に移動してハンドオフが発生して正常的な放送が受信できなくなっても、復号化のためのキーの提供を移動通信網から受けて中継網でも正常に放送が受信される。
【００９４】
結局、本発明の実施の形態に係る単一又は多重周波数網で有料加入者のデジタル放送受信方法は中継網内でデータパケットに対してデスクランブリングが可能でないか、又は復号化が可能でない場合、このような復号化のためのキーの提供を移動通信網から受けて正常に放送を受信することができる。
【００９５】
言い換えると、無料加入者の端末が中継網内にある場合、正常に放送を受信できないために有料加入に転換して移動通信網から復号化キーの提供を受けて正常に放送を受信することができ、このような有料転換によって中継事業者の中継機事業を活性化することができる。
【００９６】
上記では、ＤＶＢ-Ｔ方式のデジタル放送と関連して送信網を識別して受信を制限する内容についてのみ説明したが、ＤＶＢ-Ｔに基づくＤＶＢ-Ｈ方式のデジタル放送でもＴＰＳキャリア内に送信網が識別できる識別符号（ＮＩＣ）を含めて送出できるので制限受信が可能である。このことは、上記内容を参照すれば本技術分野の当業者には簡単に分かる。
【００９７】
また、ＤＶＢ-Ｔ又はＤＶＢ-Ｈ方式のデジタル放送の他に一般的なデジタル放送システムでも上記のように送信網が識別できる識別符号（ＮＩＣ）を直接又は他の信号に含めて放送信号と共に送出することで有料加入者にのみ受信が制限されるようにできることは、上記内容を参照すれば、本技術分野の当業者であれば簡単に理解できる。
【００９８】
また、移動型デジタル放送を利用して送信されるコンテンツの特性と上記のように送信網が識別できる識別符号（ＮＩＣ）を結合した後、暗号化して送信し、有料加入者端末のみで受信を制限させることもできる。
【００９９】
このようなコンテンツを提供するサービスには、高速道路と国道、市内の交通情報、事故情報などの多様な交通情報、天気、証券情報などを圧縮して放送形態で提供する転送プロトコル国際標準規格（ＴＰＥＧ：Ｔｒａｎｓｐｏｒｔ Ｐｒｏｔｏｃｏｌ Ｅｘｐｅｒｔｓ Ｇｒｏｕｐ）サービスがある。
【０１００】
図１１は、ＴＰＥＧサービスの構成図である。
【０１０１】
事故発生を目撃した使用者、交通制御センター（ＴＣＣ:Ｔｒａｆｆｉｃ Ｃｏｎｔｒｏｌ Ｃｅｎｔｅｒ）、バス運行企業、列車運行企業、船舶運航企業、航空運航企業、交通情報センター（ＴＩＣ:Ｔｒａｆｆｉｃ Ｉｎｆｏｒｍａｔｉｏｎ Ｃｅｎｔｅｒ）等はＴＰＥＧサービスのためにコンテンツを生成し、ＴＰＥＧサービス提供者に伝達する。
【０１０２】
ＴＰＥＧサービス提供者は、受信されたコンテンツを利用してＴＰＥＧメッセージを編集及び生成する。ここで、ＴＰＥＧサービス提供者は交通情報提供のために交通情報センターとＲＤＳ-ＴＭＣ（Ｒａｄｉｏ Ｄａｔａ Ｓｙｓｔｅｍ-Ｔｒａｆｆｉｃ Ｍｅｓｓａｇｅ Ｃｅｎｔｅｒ）データベースを共有することができる。
【０１０３】
ＴＰＥＧサービス提供者は、ＴＰＥＧメッセージを生成する時、コンテンツ提供部から受信された交通量情報（ＲＴＭ:Ｒｏａｄ Ｔｒａｆｆｉｃ Ｍｅｓｓａｇｅ）と大衆交通情報（ＰＴＩ:Ｐｕｂｌｉｃ Ｔｒａｎｓｐｏｒｔ Ｉｎｆｏｒｍａｔｉｏｎ）を追加的に生成して含めることができる。
【０１０４】
このようにＴＰＥＧサービス提供者を介してＴＰＥＧメッセージが生成されると、無線を通じて車両や移動端末器に伝送して使用者にＴＰＥＧサービスを提供する。また、インターネット網を通じて個人用コンピュータにＴＰＥＧメッセージを伝送し、使用者が個人用コンピュータと移動端末器を直接連結して受信されたＴＰＥＧメッセージを移動端末器に貯蔵したり、移動端末居置台を通じて移動端末器にＴＰＥＧメッセージを伝達することでＴＰＥＧサービスを提供する。
【０１０５】
このようなＴＰＥＧサービスを提供することに関し、ＴＰＥＧサービス提供者は良質のサービス提供のために特定サービスを特定加入者にのみ選別提供する必要がある。例えば、中継局のサービス領域内では有料加入者にのみＴＰＥＧサービスを提供したり、これと同時に有料加入者のみ暗号化されたＴＰＥＧメッセージを制限受信できるようにする。
【０１０６】
上記ＴＰＥＧメッセージは、主放送システム１１０や中継システム１２０で移動端末器１４０に伝送される場合、ＴＰＥＧ-ＳＮＩ（Ｓｅｒｖｉｃｅａｎｄ Ｎｅｔｗｏｒｋ Ｉｎｆｏｒｍａｔｉｏｎ ａｐｐｌｉｃａｔｉｏｎ）を通じて送信され、このようなＴＰＥＧ-ＳＮＩはＴＰＥＧサービスシステムで情報利用が可能なサービス及びネットワークに対する情報を含む規格で、ＴＰＥＧコンテンツの動作時間、ＴＰＥＧコンテンツに対する説明、許容又はアクセス状態に関するコンテンツ情報などを含み、全てのＴＰＥＧサービスを提供する時に共に提供されなければならない。
【０１０７】
ＴＰＥＧメッセージを伝送するＴＰＥＧ-ＳＮＩには１バイトで構成される暗号化指示子を示す領域が含まれ、このような暗号化指示子領域が「０」の値で表示されると、伝送されるＴＰＥＧメッセージが暗号化されていないことを意味し、「０」以外の他の値で表示されると、伝送されるＴＰＥＧメッセージが暗号化されたことを意味する。
【０１０８】
したがって、ＴＰＥＧメッセージに特有な暗号化指示子を送信網識別符号（ＮＩＣ）と共に使用すると、中継局領域内での受信制限とＴＰＥＧメッセージ別に制限受信を同時に提供することができる。
【０１０９】
上記実施の形態で説明された図面を適用してより具体的に説明すると、ＴＰＥＧコンテンツを提供するサーバー（１１２ａ、…、１１２ｎ）からプログラム多重化器１１３が各ＴＰＥＧコンテンツを受信して多重化する前に、各ＴＰＥＧコンテンツを伝送するＴＰＥＧ-ＳＮＩから暗号化指示子を抽出して貯蔵する。この時、各ＴＰＥＧコンテンツは各暗号化指示子の値によって暗号化されたかどうかが表示される。
【０１１０】
その後、暗号化器１１５はＮＩＣ発生器１１７によって発生された送信網識別符号（ＮＩＣ）を使用して暗号化キー発生器１１６で発生した暗号化キーと上記貯蔵されている暗号化指示子と共に使用して伝送多重化器１１４から出力される多重化されたＴＰＥＧメッセージを暗号化して移動型デジタル放送を通じて外部に送出する。
【０１１１】
中継局１２０は同様に主放送局１１０から伝送される放送信号を端末１４０に中継する時、中継局１２０の送信網識別符号（ＮＩＣ）値で再割当して送信する。また、主放送局１１０でＴＰＥＧメッセージを暗号化するのに使用された暗号化キーと暗号化指示子は移動通信システム１３０を通じて有料加入者の端末１４０にのみ伝達される。
【０１１２】
一方、有料加入者の端末１４０は受信された送信網識別符号（ＮＩＣ）値を識別して移動通信システム１３０から伝達を受けて貯蔵している暗号化キー及び暗号化指示子を抽出し、抽出された暗号化キーと暗号化指示子を使用して受信された放送信号を復号してＴＰＥＧメッセージを得ることができる。もちろん、このような動作は有料加入者の端末１４０でのみ行われ、無料加入者の端末１４０では移動通信システム１３０から暗号化キーと暗号化指示子の伝達を受けることができないために中継局１２０のサービス領域などのような制限受信領域内ではＴＰＥＧメッセージを受信することができない。
【０１１３】
また、有料加入者の端末１４０は上記抽出された暗号化指示子を各ＴＰＥＧメッセージに適用することで暗号化されたＴＰＥＧメッセージをそれぞれ復号することができるので、有料加入者端末１４０に対する制限受信が可能になる。
【０１１４】
上記ではＴＰＥＧサービスについてのみ説明したが、上記説明を参照すると、ＴＰＥＧサービスだけでなく移動型放送網を通じて各種マルチメディアデータをサービスする場合にも有料加入者にのみ制限受信することが可能である。
【０１１５】
以上、本発明を特定の実施の形態と関連して図示及び説明したが、特許請求の範囲によって示した発明の思想及び領域から逸脱しない限度内で多様な改造及び変化が可能であるということを当業系で通常の知識を有する者であれば簡単に分かる。
【０１１６】
本発明によれば、単一又は多重周波数網でのデジタル放送送出及び受信方式によって中継機事業者が有料化された中継機サービスを提供することによって、中継機事業者は中継機事業を活性化させることができ、また、主放送網事業者は放送網を拡張させることができる。
【０１１７】
また、事前に認証された特定加入者の受信機と通じてのみＴＰＥＧサービスの制限受信が可能になるので、良質のＴＰＥＧコンテンツを有料で提供することが可能になり、ＴＰＥＧコンテンツ提供による保安性が向上するので認証されない使用者が無段で利用することを防止することができる。したがって、放送網を通じて提供されるＴＰＥＧサービスで保安性が向上することによって公務員、軍人、医療関係者などの特定グループ、特定階層のみのためのキーテーブルを生成して提供する方法を利用すると、特定グループ、特定階層のみのためのＴＰＥＧコンテンツを別途に提供することも可能になる。
【図面の簡単な説明】
【０１１８】
【図１】本発明の実施の形態に係るデジタル放送送信システムの構成を示すブロック図である。
【図２】図１に示すＤＶＢ-Ｔ変調器の詳細ブロック図である。
【図３】本発明の実施の形態によってＴＰＳキャリアで冗長ビットを送信網識別符号として使用する場合を示す図である。
【図４】本発明の実施の形態に係るデジタル放送送信及び受信サービスの概念を示す構成図である。
【図５】本発明の実施の形態に係るデジタル放送受信端末の構成図である。
【図６】図５に示すＤＶＢ-Ｔ復調器の詳細ブロック図である。
【図７】本発明の実施の形態に係る加入者形態別及び受信位置別の制限受信サービス可能可否を示す図である。
【図８】本発明の実施の形態に係るデジタル送信システム及び受信端末での送信機に応じた暗号化送受信のためのブロック図である。
【図９】本発明の実施の形態に係る無料加入者局のデジタル放送受信方法のフローチャートである。
【図１０】本発明の実施の形態に係る有料加入者局のデジタル放送受信方法のフローチャートである。
【図１１】ＴＰＥＧサービスの概念図である。
【符号の説明】
【０１１９】
１１０  主放送システム
１１１  メディアエンコーダ
１１２  マルチメディアサーバー
１１３  プログラム多重化器
１１４  送信多重化器
１１５  暗号化器
１１６  暗号化キー発生器
１１７  ＮＩＣ発生器
１１８  ＴＰＳ生成器
１１９  ＤＶＢ-Ｔ変調器
１２０  中継システム
１２１  同一チャンネル中継器
１２２  中継局送信網識別符号（ＮＩＣ）挿入器
１３０  移動通信システム
１３１  使用者認証サーバー
【図１】
2009507399.tif 000003
【図２】
2009507399.tif 000004
【図３】
2009507399.tif 000005
【図４】
2009507399.tif 000006
【図５】
2009507399.tif 000007
【図６】
2009507399.tif 000008
【図７】
2009507399.tif 000009
【図８】
2009507399.tif 000010
【図９】
2009507399.tif 000011
【図１０】
2009507399.tif 000012
【図１１】
2009507399.tif 000013
【国際調査報告】
2009507399.tif 000014
2009507399.tif 000015